(57)【特許請求の範囲】
【請求項１】
取り出し用組立品であって、前記組立品が、
複数のパネルを備えた容器であって、前記パネルが前記容器の部屋および取り出し領域を画定する容器と、
前記取り出し領域内の取り外し可能なセクションであって、前記取り外し可能なセクションが、第一の開口部の輪郭を描く第一の部分、および前記第一の開口部を組み込んで形成される第二の開口部の輪郭の一部を描く少なくとも第二の部分とを有し、前記第一の部分と前記第二の部分とは、前記第一の開口部および前記第二の開口部がそれぞれ共通の縁部によって部分的に画定されるように統合され、前記第二の部分は、前記第二の開口部の輪郭のうち前記共通の縁部以外の輪郭を形成する第一の外縁部と、前記第二の開口部の前記第一の外縁部以外の外縁部である第二の外縁部とによって画定され、前記第二の部分は、前記共通の縁部の両端点のそれぞれの近傍においてショルダーを有し、前記ショルダーのそれぞれは、前記第二の部分の前記第一の外縁部の末端部分と、前記第一の外縁部の末端部分と直交する角部を形成するように曲がった形状を有する、前記第二の部分の前記第二の外縁部の末端部分とによって画定される、取り外し可能なセクションと、
前記取り外し可能なセクションの前記第一の部分のみを取り外すための第一の取り外し用構成要素と、前記取り外し可能なセクションの前記第一の部分および少なくとも前記第二の部分の両方を同時に取り外すための少なくとも第二の取り外し用構成要素であって、前記第一の部分の取り外しにより、前記第一の開口部が形成され、また前記第二の部分の取り外しにより、前記部屋内に、前記第一の開口部を組み込む前記第二の開口部が形成されるようにしたものとを備えた、取り出し用組立品。
【請求項２】
前記取り外し可能なセクションの前記第一の部分および第二の部分のそれぞれが、ミシン目、切込み線、下線、および前記容器の前記材料の部分的な切断からなる群の１つによって画定される、請求項1に記載の組立品。
【請求項３】
前記取り外し可能なセクションの前記第一の部分が、楕円の形状を持ち、また前記取り外し可能なセクションの前記第二の部分が、前記第一の部分の前記楕円形状を拡張する、概して三日月形の形状を持つ、請求項1に記載の組立品。
【請求項４】
前記少なくとも第二の取り外し用構成要素が、前記第一の部分が取り外された後に残る、前記取り外し可能なセクションの少なくとも前記第二の部分を取り外すように構成される、請求項1に記載の組立品。
【請求項５】
前記取り外し可能なセクションの前記第一の部分が、前記取り外し可能なセクションの前記第二の部分よりも大きな、請求項1に記載の組立品。
【請求項６】
前記第一の開口部および少なくとも前記第二の開口部が、前記取り出し領域の前記共通の縁部によってそれぞれ画定されるように、前記第一の部分および前記第二の部分が少なくとも一つのゾーンで統合される、請求項1に記載の組立品。
【請求項７】
前記第一の取り外し用構成要素、前記第二の取り外し用構成要素、前記取り外し可能なセクションの前記第一の部分、および前記取り外し可能なセクションの前記第二の部分のうち少なくとも一つを識別する印をさらに備える、請求項1に記載の組立品。
【請求項８】
前記取り外し可能なセクションの前記第一の部分が、前記取り外し可能なセクションの前記第二の部分よりも小さな、請求項1に記載の組立品。
【請求項９】
前記第一および第二の取り外し用構成要素が、フラップ、タブ、指当て窪み、および刻み目から選択される、請求項1に記載の組立品。
【請求項１０】
取り出し用組立品であって、前記組立品が、
複数のパネルを備えた容器であって、前記パネルが前記容器の部屋および取り出し領域を画定する容器と、
前記取り出し領域内の取り外し可能なセクションであって、前記取り外し可能なセクションが、第一の取り出し開口部の輪郭を描く第一の部分、および前記第一の部分に隣接し、かつ共通の境界を共有する第二の開口部の輪郭を描く少なくとも第二の部分を持ち、前記第二の部分は、前記第二の開口部の輪郭のうち前記共通の境界以外の部分を形成する第一の外縁部と、前記共通の境界を形成する第二の外縁部とによって画定され、前記第二の部分は、前記共通の境界の両端点のそれぞれの近傍においてショルダーを有し、前記ショルダーのそれぞれは、前記第二の部分の前記第一の外縁部の末端部分と、前記第一の外縁部の末端部分と直交する角部を形成するように曲がった形状を有する、前記第二の部分の前記第二の外縁部の末端部分とによって画定される、取り出し可能なセクションと、
前記取り外し可能なセクションの前記第一の部分のみを取り外して、前記部屋内に第一の取り出し開口部を画定する第一の取り外し用構成要素と、前記取り外し可能なセクションの前記第一の部分および前記第二の部分の両方を同時に取り外して、前記部屋内に、前記第一の取り出し開口部よりも大きく、それを組み込む、第二の取り出し開口部を画定するか、または前記取り外し可能なセクションの前記第一の部分を取り外した後で残る、前記取り外し可能なセクションの少なくとも前記第二の部分を取り外すための、少なくとも第二の取り外し用構成要素とを含む、取り出し用組立品。
【請求項１１】
前記取り出し領域内で、前記取り外し可能なセクションの前記第一の部分および第二の部分のそれぞれが、ミシン目、切込み線、下線、および前記容器の前記材料の部分的な切断からなる群の１つにより画定される、請求項10に記載の組立品。
【請求項１２】
前記取り外し可能なセクションの前記第一の部分が楕円の形状を持ち、また前記取り外し可能なセクションの前記第二の部分が、前記第一の部分の前記楕円形状を拡張する、概して三日月形の形状を持つ、請求項10に記載の組立品。
【請求項１３】
前記取り外し可能なセクション前記第一の部分が、前記取り外し可能なセクションの前記第二の部分よりも大きな、請求項10に記載の組立品。
【請求項１４】
前記第一の取り外し用構成要素、前記第二の取り外し用構成要素、前記取り外し可能なセクションの前記第一の部分、および前記取り外し可能なセクションの前記第二の部分のうち少なくとも一つを識別する印をさらに備える、請求項10に記載の組立品。
【請求項１５】
前記取り外し可能なセクションの前記第一の部分が第一の面積を占め、前記取り外し可能なセクションの前記第二の部分が第二の面積を占め、また前記第一の面積が前記第二の面積よりも小さい、請求項10に記載の組立品。
【請求項１６】
前記第一および第二の取り外し用構成要素が、フラップ、タブ、指当て窪み、および刻み目から選択される、請求項10に記載の組立品。
【請求項１７】
物品のパッケージであって、前記パッケージが、
容器であって、
複数のパネルであって、前記パネルが、前記容器の部屋および取り出し領域を画定する複数のパネルと、
前記容器の前記取り出し領域内の取り外し可能なセクションであって、前記取り外し可能なセクションが、第一の取り出し開口部の輪郭を描く第一の部分、および前記第一の部分に隣接し、かつ共通の境界を共有する第二の開口部の輪郭を描く少なくとも第二の部分を持ち、前記第二の部分は、前記第二の開口部の輪郭のうち前記共通の境界以外の部分を形成する第一の外縁部と、前記共通の境界を形成する第二の外縁部とによって画定され、前記第二の部分は、前記共通の境界の両端点のそれぞれの近傍においてショルダーを有し、前記ショルダーのそれぞれは、前記第二の部分の前記第一の外縁部の末端部分と、前記第一の外縁部の末端部分と直交する角部を形成するように曲がった形状を有する、前記第二の部分の前記第二の外縁部の末端部分とによって画定される、取り外し可能なセクションと、
前記取り外し可能なセクションの前記第一の部分のみを取り外して、前記部屋内に第一の取り出し開口部を画定する第一の取り外し用構成要素と、前記取り外し可能なセクションの前記第一の部分および少なくとも前記第二の部分の両方を同時に取り外して、前記部屋内に、前記第一の取り出し開口部よりも大きく、実質的にそれを組み込む、前記第二の取り出し開口部を画定するか、または前記取り外し可能なセクションの前記第一の部分を取り外した後で残る、前記取り外し可能なセクションの少なくとも前記第二の部分を取り外すための、少なくとも第二の取り外し用構成要素とを備える容器と、
容器の部屋内に配置された複数の物品であって、それぞれの物品が、同じ前記複数の物品の別の１つの物品と連通はするが、付着はしない複数の物品とを備え、
それにより、前記容器の前記部屋内にある前記複数の物品への最初のアクセスを第一の開口部を利用して得て、その後のアクセスを前記第二の開口部を利用して得ることも、または前記複数の物品への最初のアクセスを、前記第二の開口部のみを利用して達成することもできる、パッケージ。
【請求項１８】
前記取り外し可能なセクションの前記第一の部分が、前記取り外し可能なセクションの前記第二の部分よりも大きな、請求項17に記載のパッケージ。
【請求項１９】
前記取り外し可能なセクションの前記第一の部分が、前記取り外し可能なセクション前記第二の部分よりも小さな、請求項18に記載のパッケージ。
【請求項２０】
前記取り外し可能なセクションの前記第一の部分及び前記第二の部分は、それぞれミシン目によって画定され、前記第一の部分及び前記第二の部分を画定するミシン目は、前記ショルダーの一部を画定する、曲がった形状を有する前記第二の部分の前記第二の外縁部の末端部分を形成する短めのミシン目と、前記第二の部分の前記第二の外縁部の末端部分以外の部分を形成する長めのミシン目とにより構成されることを特徴とする請求項10に記載の組立品。
【発明の詳細な説明】
【技術分野】
【０００１】
本発明は、一般に、切り取り式開口部カバーを持つ取り出し用カートンに関連する。
【背景技術】
【０００２】
手袋、フェースマスクおよびそれに類するものなどの様々な単回使用の使い捨て製品は、取り出し用カートン内にパッケージ化される。これらの取り出し用カートンは、しばしば、切り取り式開口部または取り出し開口部カバーを持つことがある。
【０００３】
手術用手袋、ティッシュペーパー、ダストミット、および使い捨て手袋を含めた様々な製品を取り出すための模範的なカートンまたはカートン改良品は、例えば、以下のとおりである。
【０００４】
米国特許第３，７４６，１５２号（「手術用手袋カートン」、Ａｌｌｅｎ、１９７３年７月１７日）に記載があり、一対の手術用手袋を長期間にわたり滅菌状態で保管し、その後「パチンと開いて」平坦な構成にし、かつ平坦な構成に固定して、ボール紙の滅菌野上で手術用手袋を使用者に提供するように構成されている、平坦な滅菌可能なカートンが記述されている。
【０００５】
米国特許第６，１１２，９３６号（「医療用手袋取り出し用筐体」、Ａｒｉｚｍｅｎｄｉ、２０００年９月５日）は、網材内の収縮閉鎖部が取り出し用ボックス内の開口部上に位置するように、手袋取り出し用ボックスまたは同種のものの周囲に伸びる管状の網材で作成された包みを記述している。収縮閉鎖部は、網材に穴をあけて、穴の周りに弾性バンドを編むことで作成される。
【０００６】
米国特許第６，４８８，１７５号（「ダスティングミット取り出し用システム」、Ｓｈｉｆｆｌｅｒら、２００２年１２月３日）は、折り畳まれたつまみを持ち、そのつまみが積み重ねられたミットの最も上に提供されるように配置されている、ダスティングミット取り出しのための取り出し用システムを記述している。取り出し用システムは、カートンの後ろの上部継ぎ目に沿って旋回する上部カバーを持つカートンを含む。上部カバーには、ミシン目が切断されるとアクセスフラップを形成するミシン目パターンが含まれる。アクセスフラップは、継ぎ目に沿って上部カバーに一体的に連結され、内容物へのアクセスを提供する。
【０００７】
米国特許第６，８８６，７１４号（「取り出しの嗜好のための複数の開口部の選択が可能な容器」、Ｋｒｕｃｈｏｓｋｉら、２００５年５月３日）は、容器が、ティッシュペーパーなどのシートのポップアップ式取り出しのための第一の取り出し開口部を持つ、シート取り出しのための取り出し容器を記述している。容器は、複数のシートをそれぞれ分離させずにシートの同時一括取り出しを提供する、第二の開口部を持つ。開口部は、互いに重ねることも、あるいは一方の開口部を容器の一部分上に配置し、別の開口部を容器の別の部分上に配置することもでき、様々な取り出しオプションを消費者に提供できる。
【０００８】
米国出願公開第ＵＳ  ２００７／０２１００９６  Ａ１号（「高容量パッケージ取り出し」、Ｅｌｌｓｗｏｏｄら、２００５年５月３日）は、実質的に垂直の製品保管方向およびパッケージ設計を持つ保護用物品のための、ディスペンサーパッケージシステムを記述している。パッケージは、従来型のディスペンサー容器と実質的に同一の設置面積内で、より大容量の製品を供給できる二重または複数の部屋のあるディスペンサーユニットを含む。パッケージは、手袋やフェースマスクなどの保護用物品製品用に、従来型ディスペンサーよりも少なくとも５０パーセント、最大約２００パーセント以上の容量を保存し取り出しができる。
【０００９】
様々な製品の取り出しのためのこれらのカートンまたはカートン改良品は改善を提供するが、それぞれは、使用者が第一の開口部を選択して容器の内部にアクセスし、その後、開口部を拡張させて、容器の内部へのアクセスを向上できるようにするニーズの認識または対処がなされていない。これらのカートンまたはカートン改良品はまた、使用者が、カートン上の同じ位置で２つの異なるサイズの開口部を選択できるようにするニーズの認識または対処もなされていない。カートン寸法は大きくなっており、大きめのカートンでは、製品が開口部の近くにはもはや位置しないレベルまで製品数量が使い尽くされた際に、検査用手袋などの個別の製品の取り出しが困難となるため、このニーズを満足させることは重要である。このニーズは、特にヘルスケア環境において、下に固まったり、アクセスが困難になる可能性のある内容物を持つ、より大容量のパッケージでは特に明白である。
【発明の概要】
【００１０】
上述の問題は、使い捨て手袋などの物品の取り出しのための取り出し用組立品を包含する本発明により対処されている。組立品は、複数のパネルを持つ容器を含む。パネルは、容器上の部屋および取り出し領域を定義する。組立品はまた、取り出し領域内の取り外し可能なセクションも含む。取り外し可能なセクションは、第一の開口部の輪郭を描く第一の部分、および第一の部分を囲むように包む第二の開口部の輪郭を描く、少なくとも第二の部分を持つ。例えば、第一の部分は、第二の部分によって完全に囲まれうる。代替的に、第一の部分および第二の部分は、第一の取り出し開口部および少なくとも第二の取り出し開口部が、それぞれ取り出し領域の共通の縁によって定義されるように、少なくとも一つのゾーンに統合させうる。
【００１１】
本発明の一態様では、取り外し可能なセクションの第一の部分は、楕円の形状を持つことができ、取り外し可能なセクションの第二の部分は、第一の部分の楕円形状を拡張または拡大する概して三日月形の形状を持ちうる。取り外し可能なセクションの第一の部分および第二の部分（または追加的な部分）は、様々な形状、寸法または構成を持ちうる。取り外し可能なセクションの第一の部分は、取り外し可能なセクションの第二の部分と同一サイズとすることも、またはそれより大きくすることもできる。代替的に、取り外し可能なセクションの第一の部分は、取り外し可能なセクションの第二の部分よりも小さくすることができる。取り外し可能なセクションの第一の部分および第二の部分は、ミシン目、切込み線、下線、材料の部分的な切断およびその組合せによって定義しうる。
【００１２】
第一の構成要素の取り外しが第一の開口部を形成（部屋へのアクセスを提供）し、第二の構成要素の取り外しが、第一の開口部を組み込む第二の開口部を形成する（部屋へのアクセスを提供する）ように、取り出し用組立品にはまた、取り外し可能なセクションの第一の部分のみを取り外すための第一の構成要素、および取り外し可能なセクションの第一の部分および少なくとも第二の部分の両方を同時に取り外すための少なくとも第二の構成要素も含まれる。本発明の一態様では、第二の構成要素は、第一の部分が取り外された後に残る、取り外し可能なセクションの第二の部分を少なくとも取り外すように構成される。第一および第二の取り外し用構成要素は、フラップ、タブ、指当て窪み、刻み目、または同種のものおよびその組合せから選択される。
【００１３】
本発明によれば、取り出し用組立品は、第一の構成要素、第二の構成要素、取り外し可能なセクションの第一の部分、取り外し可能なセクションの第二の部分、およびその組合せのうち少なくとも一つを識別する印をさらに含みうる。
【００１４】
本発明はまた、複数のパネルを持つ容器を含む、取り出し用組立品を包含する。これらのパネルは、容器上の部屋および取り出し領域を定義する。組立品はまた、取り出し領域内の取り外し可能なセクションを含む。取り外し可能なセクションは、第一の開口部の輪郭を描く第一の部分、および第一の部分を囲むように包む第二の開口部の輪郭を描く、少なくとも第二の部分を持つ。組立品はまた、（ｉ）取り外し可能なセクションの第一の部分および第二の部分の両方を同時に取り外して、第一の開口部を組み込む第二の開口部を定義するか、または（ｉｉ）取り外し可能なセクションの第一の部分を取り外した後で、取り外し可能なセクションの少なくとも第二の部分を取り外すために、取り外し可能なセクションの第一の部分のみを取り外して第一の開口部および少なくとも第二の構成要素を定義するための第一の構成要素を含む。
【００１５】
本発明はまた、物品のパッケージを包含する。パッケージには、容器上の部屋および取り出し領域を定義するよう構成された複数のパネルを持つまたは含む容器と、容器の取り出し領域内の取り外し可能なセクションであって、その取り外し可能なセクションが、第一の取り出し開口部の輪郭を描く第一の部分および少なくとも第二の部分を持つ取り外し可能なセクションと、また（ｉ）取り外し可能なセクションの第一の部分および第二の部分の両方を同時に取り外して、第一の開口部よりも大きく、かつそれを組み込む部屋へのアクセスを提供する第二の開口部を定義するため、または（ｉｉ）取り外し可能なセクションの第一の部分を取り外した後で残る、取り外し可能なセクションの少なくとも第二の部分を取り外すために、取り外し可能なセクションの第一の部分のみを取り外して、部屋および少なくとも第二の構成要素へのアクセスを提供する第一の取り出し開口部を定義する第一の構成要素とが含まれる。パッケージには、容器の部屋内に配置された複数の物品も含まれ、それぞれの物品が、別の物品と連通はするが、付着はしない。本発明によれば、容器の部屋内にある複数の物品への最初のアクセスを第一の開口部を利用して得て、その後のアクセスを第二の開口部を利用して得ることも、または複数の物品への最初のアクセスを、第二の開口部のみを利用して達成することもできる。
【００１６】
その他の本開示の目的、利点および用途は、開示の望ましい実施形態に関する下記の詳細な説明および添付図面により明確となり、ここで参照番号は類似したまたは同等な構造を意味する。
【図面の簡単な説明】
【００１７】
【図１】図1は、使い捨て手袋などの物品を取り出すための模範的な取り出し用組立品の斜視図である。
【図２】図2は、取り出し領域に位置する取り外し可能なセクションの模範的な第一の部分および第二の部分を図示した、取り出し用組立品の詳細の平面図である。
【図３】図3は、取り出し領域に位置する取り外し可能なセクションの別の模範的な第一の部分および第二の部分を図示した、取り出し用組立品の詳細の平面図である。第一の部分は、第二の部分に囲まれている。
【図４Ａ】図4Aは、取り出し領域に位置する取り外し可能なセクションの別の模範的な第一の部分および第二の部分を図示した、取り出し用組立品の詳細の平面図である。
【図４Ｂ】図4Bは、取り出し領域に位置する取り外し可能なセクションの別の模範的な第一の部分および第二の部分を図示した、取り出し用組立品の詳細の平面図である。第一の部分は、第二の部分よりも大きい。
【図４Ｃ】図4Cは、取り出し領域に位置する取り外し可能なセクションの別の模範的な第一の部分および第二の部分を図示した、取り出し用組立品の詳細の平面図である。第一の部分は、第二の部分よりも小さい。
【図５】図5は、模範的な取り出し用組立品の詳細を図示した平面図であり、取り外し可能なセクションの部分の輪郭を描くハーフカットおよびミシン目の模範的な組合せのセグメントを強調している。
【図６】図6は、模範的な取り出し用組立品の詳細を図示した平面図であり、第二の部分のショルダーが外側に向かって曲がった形状の端部を持つ、取り外し可能なセクションの第二の部分の模範的なショルダー領域を強調している。
【図７】図7A〜7Dは、模範的な取り出し用組立品を開く順序を示す斜視図である。
【図８】図8A〜8Cは、模範的な取り出し用組立品を開く、代替的な順序を示す斜視図である。
【発明を実施するための形態】
【００１８】
ここで、一つ以上の実施形態を詳細に参照するが、その例を図に示す。当然ながら一つの実施形態の一部として図示または記述された特徴は、別の実施形態で使用して、なおさらなる実施形態を生じうる。
【００１９】
ここで図面に言及するが、図１には、例えば、使い捨て検査用手袋、フェースマスクまたは同種のものなどの物品を取り出すための模範的な取り出し用組立品１０を示す。取り出し用組立品１０は、複数のパネル１４を持つ容器１２を含む。パネルは、カートン用ボール紙、厚紙、厚手の構造紙、容器用紙、段ボール板紙、プラスチックコート紙、プラスチックシート、ワックスコート紙または同種のもの、およびその組合せなど、任意の適切な材料としうる。
【００２０】
パネル１４は、容器上の部屋「Ｃ」および取り出し領域１６を定義する。組立品はまた、取り出し領域内の取り外し可能なセクション１８も含む。取り外し可能なセクションは、第一の開口部の輪郭２２を描く第一の部分２０、および第一の部分２０を囲むように包む第二の開口部２６の輪郭を描く少なくとも第二の部分２４  を持つ。本書で使用するとき、用語「囲むように包む」は、一方の部分が、他方の部分に隣接し境界を定めうるような、第一の部分と第二の部分の間の関係を意味する。例えば、一つの構成要素は、個別の構成要素としうるが、なおも第二の構成要素に組み込まれるか、または包摂されることができる。
【００２１】
図２を参照するが、第一の部分２０および第二の部分２４を強調した取り外し可能なセクション１８の平面図が示されている。図２では、第二の部分２４が、第一の部分２０に隣接し、共通の境界「Ｂ」を共有しているという点で、第一の部分２０を囲むように包んでいる。図２に図示したとおり、第一の部分２０および第二の部分２４は、第一の開口部２２および少なくとも第二の開口部２６がそれぞれ、取り出し領域の共通の縁３０によって定義されるように、少なくとも一つのゾーン２８に統合しうる。こうした構成では、取り外し可能なセクションの第一の部分２０は、楕円の形状を持つものとして描写でき、取り外し可能なセクションの第二の部分２４は、第一の部分の楕円形状を拡張または拡大する概して三日月形の形状を持つものとして描写しうる。代替的に、図３に図示するとおり、第一の部分２０は第二の部分２４によって完全に囲まれうる。
【００２２】
取り外し可能なセクションの第一の部分および第二の部分（またはさらにその他の追加的な部分）は、様々な形状、寸法または構成を持ちうる。例えば、図４Ａに示すとおり、第一の部分２０は、概して三角形の形状を持つことができ、また第二の部分２４は、例えば、およそ六角形の形状など、異なる幾何学的形状を持ちうる。図４Ｂに図示するとおり、取り外し可能なセクションの第一の部分２０は、取り外し可能なセクションの第二の部分２４より大きくすることができる。すなわち、第一の部分２０は、第二の部分２４の面積よりも大きな面積を持ちうる。代替的に、図４Ｃに示すとおり、取り外し可能なセクションの第一の部分２０は、取り外し可能なセクションの第二の部分２４よりも小さくすることができる。すなわち、第一の部分２０は、第二の部分２４の面積よりも小さな面積を持ちうる。もちろん、第一の部分２０および第二の部分２４は、ほぼ同一のサイズとしうる。すなわち、第一の部分２０および第二の部分２４は、ほぼ同一の面積を持ちうる。
【００２３】
取り外し可能なセクションの第一の部分および第二の部分は、ミシン目、切込み線、下線、または材料の部分的な切断およびその組合せによって定義しうる。こうした特徴は、当業者には知られている。例えば、米国特許第４，１５３，４１２号（「切り取り式開口デバイス」、Ｗｙｓｏｃｋｉ、１９７９年７月１９日）は、切り取り式フラップに使用されるハーフカット構成を記述しており、その内容を参照し本書に組込む。
【００２４】
ここで、図面の図５を参照するが、ハーフカットとミシン目の模範的な組合せが示されている。例えば、第一の部分および第二の部分は、パネルを貫く実線のハーフカット４０により形成される最も外側または外部の輪郭と、容器またはパッケージの引き剥がし部分を定義するために一般的に使用されるタイプの間隔を置いたミシン目４２で形成される内側または内部の輪郭とを持ちうる。これらのミシン目は、それぞれの部分の輪郭全体にわたり、一様に間隔を置いたものであることが望ましい。例えば、これらのミシン目は、約１ミリメートルのパネル材料によって分離されうる。さらに望ましくは、長めのミシン目４４では、取り出し領域からの取り外し可能なセクションの部分の取り外しが容易になり、短めのミシン目４６では、取り外しに対して、より大きな抵抗が提供されるように、これらのミシン目４２は様々な長さのカットで構成できる。一例として、長めのミシン目は、約１ミリメートルのパネル材料により分離された約５ミリメートルの長さを持ち、短めのミシン目は、約１ミリメートルのパネル材料で分離された約２ミリメートルの長さを持ちうる。この例において、模範的な１８ミリメートルの長さにおいて、短めのミシン目は長めのミシン目よりもおよそ５０％多いパネル材料を提供することになる。もちろん、その他のミシン目の長さが意図されており、またその他の長さのパネル材料が意図されている。非限定的な例として、長めのミシン目は約２．５ミリメートル〜約８ミリメートルとし、短めのミシン目は約０．５ミリメートル〜約２ミリメートルとしうる。もちろん、この範囲を超えるその他の長さが意図されており、可能である。ミシン目間のパネル材料の長さは、０．１ミリメートル〜３ミリメートル、またさらに望ましくは約０．５ミリメートル〜約１．５ミリメートルとしうる。その他の長さが意図されており、可能である。
【００２５】
本発明の一態様によれば、図2および4Aに図示したとおり、第二の部分24は、ショルダー領域「S」を持つように設計しうる。ここで図面の図6を参照するが、第二の部分24のショルダー48が外側に向かって曲がった形状の端部50を持つ、模範的なショルダー領域Sが図示されている。こうした先端が外側に向かって曲がった形状の端部50は、第二の部分24が取り外される前に、第一の部分20が取り外されるとき、第一の部分20と第二の部分24の間をきれいに分離するのを助ける。さらに、発明者らは、短めのミシン目46と長めのミシン目44の組み合わせを利用することによっても、第一の部分20と第二の部分24の間のきれいな分離を促進することを見出した。例えば、境界線Bは、ハーフカット線40およびショルダー48の外側に向かって曲がった形状の端部50の近くの短めのミシン目46と、ショルダー48から離れた長めのミシン目44により構成されうる。取り出し領域の共通の縁30は、ハーフカット線40と一般に長めのミシン目44により構成されうる。ショルダー48とじかに隣接した領域では、ショルダー48の安定性を高め、第一の部分が第二の部分の前に取り外されるときに、第一の部分20と第二の部分24の間のきれいな分離を提供するために、共通の縁30を定義するミシン目を短くすることが望ましいことが判明した。
【００２６】
本発明によれば、取り出し用組立品はまた、取り外し可能なセクションの第一の部分２０のみを取り外すための第一の構成要素５２と、取り外し可能なセクションの第一の部分２０および少なくとも第二の部分２４の両方を同時に取り外すための少なくとも第二の構成要素５４とを含む。第一および第二の取り外し用構成要素５２、５４は、フラップ、タブ、リング、指当て窪み、刻み目、または同種のものおよびその組合せとしうる。
【００２７】
ここで図７Ａ〜７Ｄを参照するが、模範的な取り出し用組立品１０を開く模範的な順序が斜視図で図示されている。第一の構成要素５２を利用した第一の部分２０の取り外しにより、取り出し領域１６内に第一の開口部２２が形成（部屋へのアクセスを提供）され、第二の構成要素５４を利用した第二の部分２４の取り外しにより、取り出し領域１６内に第二の開口部２６が形成（部屋へのアクセスを提供）される。この順序でわかるように、第二の開口部２６は、第一の開口部２０を組み込むか、または囲むように包むか、それを包摂する。この順序で図示したとおり、第二の構成要素５４は、第一の構成要素５２を利用して第一の部分２０が取り外された後に残る、取り外し可能なセクション１８の第二の部分２４を取り外すように構成される。
【００２８】
ここで図８Ａ〜８Ｃを参照するが、模範的な取り出し用組立品１０を開く代替的な模範的順序が斜視図で図示されている。第二の構成要素５４を利用して、第一の部分２０および第二の部分２４の両方が取り出し領域１６から取り外され、取り出し領域１６内で第二の開口部２６を利用した部屋へのアクセスが提供（部屋へのアクセスが提供）されている。この順序でわかるように、第一の部分２０は、第二の部分２４と同時に取り外される。
【００２９】
本発明によれば、取り出し用組立品は、第一の構成要素、第二の構成要素、取り外し可能なセクションの第一の部分、取り外し可能なセクションの第二の部分、およびその組合せのうち少なくとも一つを識別する印をさらに含みうる。これらの印は、どのように第一の構成要素５２を利用して、最初に取り外し可能なセクション１８の第一の部分２０を取り外してから、その後、どのように第二の構成要素５４を利用して、取り外し可能なセクション１８の第一の部分を取り外した後に残る第二の部分２４を取り外すかについて、使用者への指示を提供するために使用しうる。代替的および／または追加的に、印は、どのように第二の構成要素５４を利用して、第一の部分２０および第二の部分２４を同時に取り外すかについて、使用者に指示を提供するために使用しうる。
【００３０】
本発明はまた、物品のパッケージを包含する。パッケージには、容器上の部屋および取り出し領域を定義するよう構成された複数のパネルを持つまたは含む容器と、容器の取り出し領域内の取り外し可能なセクションであって、その取り外し可能なセクションが、第一の取り出し開口部の輪郭を描く第一の部分および少なくとも第二の部分を持つ取り外し可能なセクションと、また（ｉ）取り外し可能なセクションの第一の部分および第二の部分の両方を同時に取り外して、第一の開口部よりも大きく、かつそれを組み込む部屋へのアクセスを提供する第二の開口部を定義するため、または（ｉｉ）取り外し可能なセクションの第一の部分を取り外した後で残る、取り外し可能なセクションの少なくとも第二の部分を取り外すために、取り外し可能なセクションの第一の部分のみを取り外して、部屋および少なくとも第二の構成要素へのアクセスを提供する第一の取り出し開口部を定義する第一の構成要素とが含まれる。パッケージには、容器の部屋内に配置された複数の物品も含まれ、それぞれの物品が、別の物品と連通はするが、付着はしない。本発明によれば、容器の部屋内にある複数の物品への最初のアクセスを第一の開口部を利用して得て、その後のアクセスを第二の開口部を利用して得ることも、または複数の物品への最初のアクセスを、第二の開口部のみを利用して達成することもできる。
【００３１】
複数の物品は、複数の使い捨て物品であることが望ましい。本書で使用される時、「使い捨て」という用語は、安価であるために、１回だけ使用した後に経済的に廃棄されうる製品をさす。「使い捨て」製品は、通常、単回使用を目的としている。「単回使用」という用語は、１回だけ使用することを目的とし、その使用後に再使用、再調整、復元または修理することを目的としていない製品をさす。これらの製品は、交差汚染または感染の可能性を減らすことにより、臨床環境に利点を提供する。さらにこれらの製品は、再処理および再使用のために回収および組立されないので、ワークフローを向上させうる。使い捨て物品の例には、使い捨て検査用手袋、使い捨てフェースマスクおよびそれに類するものが含まれる。
【００３２】
パッケージから使い捨て検査用手袋を取り出すことは特に困難なことがある。例えば、標準的な小または特小の寸法など、小さめのサイズの検査用手袋では、手袋がこぼれ出すのを防ぐために、カートンの内容物にアクセスするためにより小さな開口部があることを使用者が希望することがある。これらの手袋のサイズは、開口部のサイズに近いものか、またはそれよりあまり大きくないことがある。一部の場合において、手袋のサイズは、開口部のサイズよりも小さい場合がある。これは、取り出し用カートンが最初に開かれ、内容物が開口部にすぐ隣接しているときに特に顕著である。ただし、例えば、標準的な大または特大の寸法など、大きめのサイズの検査用手袋では、使用者がカートンからの取り出しを容易にするための大きめの開口部を希望することがある。これらの手袋のサイズは、典型的な手袋取り出し開口部よりも大きいか、またはさらにずっと大きいことがある。本発明により、使用者は取り出し開口部の選択をすることができる。例えば、パッケージ／取り出し用組立品１０の内容物が、小さめのサイズの検査用手袋など、小さめのサイズの物品である場合に、使用者は第一の構成要素５２を使用して、第一の部分２０を取り外し、小さめの開口部２２を提供しうる。本発明によりまた、パッケージ／取り出し用組立品１０の内容物が大きめのサイズの検査用手袋など、大きめサイズの物品である場合に、使用者は、第二の構成要素５４を使用して、第一の部分２０および第二の部分２４を同時に取り外すこともできる。こうして、取り出し用組立品１０は、製造時に、取り出し用組立品／パッケージにカスタム化改造を行なう必要なしに、小さめのサイズまたは大きめのサイズのどちらの物品（例えば、検査用手袋）のどちらと共に使用するのにも適している。すなわち、使用者は、カートン上の同じ位置で２つの異なるサイズの開口部を簡単に選択して、適切な部分を除去して、開口部を展開することができる。
【００３３】
経済性を高めるために、取り出し用組立品またはパッケージは、より多くの数量の物品を保持するために大きめのサイズであることがよくある。例えば、使い捨て検査用手袋などの物品を大きめのカートンまたはパッケージから取り出すとき、十分な数量の物品（例えば、手袋）が使い尽くされ、開口部の近くでもはや手袋に簡単にアクセスできなくなった後で、取り出しが問題となる。使用者は、取り出し用組立品またはパッケージを傾けたり、または指もしくは手全体をパッケージの中に深く差し込んで物品を掴んで引き出すことを強いられることさえもある。開口部は、一般に使用者の手とほぼ同じサイズであり、そのため、パッケージ（例えば、取り出し用組立品の部屋）内部の可動性や視界は制限されている。
【００３４】
本発明により、使用者は、第一の開口部を選択して、容器の内部にアクセスしてから、その後、開口部を拡張して容器の内部へのアクセスを促進することができる。これは、特にヘルスケア環境において、下に固まったり、アクセスが困難になることのある内容物の入った大きめの容量のパッケージでは、特に重要である。
【００３５】
例えば、本発明により、使用者は、第一の構成要素５２を使用して第一の部分２０を取り外して、例えば、検査用手袋などの物品を大きな容器から初めに取り出すために、小さめの開口部２２を提供することができる。内容物が下に固まるか、または十分な量の物品（例えば、手袋）が使い尽くされて、開口部の近くで手袋にもはや簡単にアクセスできなくなると、本発明により、使用者は、第二の構成要素５４を使用して、取り外し可能なセクションの第一の部分２０が取り外された後に残る、取り外し可能なセクション１８の第二の部分２４を取り外すことができる。こうして、取り出し用組立品１０は、製造時に、取り出し用組立品／パッケージにカスタム化改造を行なう必要なしに、大きいサイズの容器と共に使用するのに適している。すなわち、使用者は、取り外し可能なセクションの第一の部分２０を取り外して第一の開口部２２を提供することにより、容器の部屋内にある複数の物品へのアクセスを開始し、その後、取り外し可能なセクションの第一の部分２０が取り除かれた後で残る、取り外し可能なセクションの第二の部分２４を取り外すことにより、第一の開口部２２を拡張することができる。すなわち、使用者は、第一の開口部を、容器上の同じ位置で、大きめの開口部である第二の開口部に簡単に拡張でき、大きな容器内の物品へのアクセス性を高めることができる。
【００３６】
様々な特許を参照し本書に組込んできたが、組み込んだ資料と書面による明細書との間に不一致がある場合は、書面による明細書が優先される。さらに、本開示は、その具体的な実施形態に関連して詳細に説明してきたが、当業者にとって、本開示の精神および範囲を逸脱することなく、様々な改造、修飾およびその他の変更を開示に対してなしうることは明らかである。したがって、請求の範囲は添付した請求の範囲により包含されるすべての修正、改造およびその他の変更が網羅されることが意図される。
【図１】
0005824585.tif 000002
【図２】
0005824585.tif 000003
【図３】
0005824585.tif 000004
【図４Ａ】
0005824585.tif 000005
【図４Ｂ】
0005824585.tif 000006
【図４Ｃ】
0005824585.tif 000007
【図５】
0005824585.tif 000008
【図６】
0005824585.tif 000009
【図７Ａ】
0005824585.tif 000010
【図７Ｂ】
0005824585.tif 000011
【図７Ｃ】
0005824585.tif 000012
【図７Ｄ】
0005824585.tif 000013
【図８Ａ】
0005824585.tif 000014
【図８Ｂ】
0005824585.tif 000015
【図８Ｃ】
0005824585.tif 000016